(57)【要約】【課題】上述したタイプの食品を調理するための装置を提供すること。【解決手段】食品を調理するための装置であって、当該装置は、空気透過性の底壁部（５）及び上部の空気の排気開口部（６）を有する食品調理チャンバ（２）と、底壁部（５）、食品調理チャンバ（２）及び排気開口部（６）を連続的に通って高温空気を移動させるためのファン（７）と、排気開口部（６）から底壁部（５）に向けて食品調理チャンバ（２）から分離して空気を返すための空気ガイド手段（９）と、食品調理チャンバ（２）の上部分に位置付けられた熱放射手段（１０）と、食品調理チャンバ（２）の下方にある空気ガイド部材（１１）と、を備える。空気ガイド部材（１１）は、食品調理チャンバ（２）内にある食品へほぼ上向きに空気流を向けるように設けられている。【選択図】図１
2014185849.tif 000002
【特許請求の範囲】
【請求項１】
食品を調理するための装置であって、
空気透過性の底壁部及び上部の空気の排気開口部を有する食品調理チャンバと、
前記底壁部、前記食品調理チャンバ及び前記排気開口部を連続的に通って高温空気を移動させるためのファンと、
前記排気開口部から前記底壁部に向けて前記食品調理チャンバから分離して空気を返すための空気ガイド手段と、
前記食品調理チャンバの上部分に位置付けられた熱放射手段と、
前記食品調理チャンバの下方にある空気ガイド部材と、
を備え、
前記空気ガイド部材は、前記食品調理チャンバ内にある食品へほぼ上向きに空気流を向けるように設けられていることを特徴とする装置。
【請求項２】
前記空気ガイド部材は、空気ガイドリブを備えることを特徴とする請求項１に記載の装置。
【請求項３】
前記空気ガイドリブは、垂直面に配置されて放射状に延在し、中心位置で接触することを特徴とする請求項２に記載の装置。
【請求項４】
前記空気ガイド部材は、切頭円錐形で上方へ先細りする空気ガイド部分を備えることを特徴とする請求項１から３のいずれか１項に記載の装置。
【請求項５】
等しい長さの腕部を有する交差部として配置された３以上の空気ガイドリブを有することを特徴とする請求項３または４に記載の装置。
【請求項６】
個々の前記空気ガイドリブは、曲げ延長部を有することを特徴とする請求項３から５のいずれか１項に記載の装置。
【請求項７】
前記空気ガイド部材は、邪魔のない空気流パターンであって前記食品調理チャンバの中心で最高速度を有して放射状に外方に向けて減少する空気流パターンをもたらすことを特徴とする請求項２から６のいずれか１項に記載の装置。
【請求項８】
前記空気ガイドリブ及び必要なら前記空気ガイド部分は、当該装置の残りの部分から取外し可能な組立体を形成することを特徴とする請求項４から７のいずれか１項に記載の装置。
【請求項９】
前記食品調理チャンバの前記底壁部は、少なくとも部分的に開放的な構造を有することを特徴とする請求項１から８のいずれか１項に記載の装置。
【請求項１０】
前記食品調理チャンバの前記底壁部は、少なくとも部分的にグリッドまたはメッシュ構造によって形成されていることを特徴とする請求項９に記載の装置。
【請求項１１】
前記食品調理チャンバは、断面積が上方に向かうにしたがって増大し、当該食料調理チャンバ内に前記食品を配置するように構成されていることを特徴とする請求項１から１０のいずれか１項に記載の装置。
【請求項１２】
前記食品調理チャンバの少なくとも前記底壁部は、波形をなすことを特徴とする請求項１から１１のいずれか１項に記載の装置。
【請求項１３】
前記食品調理チャンバは、円周壁部であって当該円周壁部及び当該食品調理チャンバの前記底壁部の間の接続部を越えて下方に向けて延在する下端部を有する円周壁部を有することを特徴とする請求項１から１２のいずれか１項に記載の装置。
【請求項１４】
前記円周壁部の前記下端部は、曲げられていることを特徴とする請求項１３に記載の装置。
【請求項１５】
前記食品調理チャンバには、取外し可能な底壁部が設けられていることを特徴とする請求項１から１４のいずれか１項に記載の装置。
【請求項１６】
前記食品調理チャンバは、内壁部及び外壁部であってこれらの間に前記排気開口部から前記底壁部に向けて空気を返すための前記空気ガイド手段を形成する内壁部及び外壁部を有する二重壁をなし、
二重壁の前記食品調理チャンバは、外箱内に収容されていることを特徴とする請求項１から１５のいずれか１項に記載の装置。
【請求項１７】
前記排気開口部から前記底壁部に向けて空気を返すための前記空気ガイド手段は、多数の別個のチャネルを有することを特徴とする請求項１から１６のいずれか１項に記載の装置。
【請求項１８】
前記食品調理チャンバは、上部分及び取外し可能な下部分を備えることを特徴とする請求項１から１７のいずれか１項に記載の装置。
【請求項１９】
前記食品調理チャンバの前記下部分は、把持部と、前記二重壁内にあるバスケット状部材と、を備えることを特徴とする請求項１６と組み合わされる請求項１８に記載の装置。
【請求項２０】
前記バスケット状部材は、反転した切頭円錐形状を有することを特徴とする請求項１９に記載の装置。
【請求項２１】
前記食品調理チャンバの上部分及び下部分が分離されると、前記加熱手段の動作を停止するかつ／または前記内壁部及び前記外壁部の間の空気流を停止するための手段が設けられていることを特徴とする請求項１８から２０のいずれか１項に記載の装置。
【請求項２２】
前記手段は、前記食品調理チャンバの取り外し可能な部分と協働するスイッチを備えることを特徴とする請求項２１に記載の装置。
【請求項２３】
前記バスケット状部材は、取外し可能であり、
前記把持部は、取外し可能な前記バスケット状部材を接続及び非接続するための作動可能なラッチ手段を備えることを特徴とする請求項１９から２２のいずれか１項に記載の装置。
【請求項２４】
前記食品調理チャンバの下部分から上部分に向けてプレロードするための手段が設けられていることを特徴とする請求項１８から２３のいずれか１項に記載の装置。
【請求項２５】
前記手段は、前記下部分の下方に配置されたバネ手段を備えることを特徴とする請求項２４に記載の装置。
【請求項２６】
前記食品調理チャンバには、圧力開放バルブが設けられていることを特徴とする請求項１から２５のいずれか１項に記載の装置。
【請求項２７】
前記下部分及び前記上部分は、組み立てられ、
前記把持部は、例えば互いに入れ子にされることによってまたは互いに近接して平行に配置されることによって、全体的に単一の一体の把持部を形成することを特徴とする請求項２４に記載の装置。
【請求項２８】
前記排気開口部から前記底壁部に向けて空気を返すための前記空気ガイド手段には、垂直に延在する空気ガイドが設けられていることを特徴とする請求項１から２７のいずれか１項に記載の装置。
【請求項２９】
前記排気開口部から前記底壁部に向けて空気を返すための前記空気ガイド手段の開始部には、前記食品調理チャンバの上方において放射状に延在する空気ガイドが設けられていることを特徴とする請求項１から２８のいずれか１項に記載の装置。
【請求項３０】
放射状に延在する前記空気ガイドは、前記食品調理チャンバの頂部を規定する熱反射手段の一部であることを特徴とする請求項２９に記載の装置。
【請求項３１】
前記熱反射手段は、取外し可能であることを特徴とする請求項３０に記載の装置。
【請求項３２】
請求項１から３１のいずれか１項に記載の装置で使用することを特徴とする空気ガイド部材。
【発明の詳細な説明】
【技術分野】
【０００１】
本発明は、まず食品を調理するための装置であって、空気透過性を有する底壁部及び上部空気排気開口部を有する食品調理チャンバと、底壁部、食品調理チャンバ及び排気開口部を連続的に通って高温空気を移動させるためのファンと、排気開口部から底壁部に向けて食品調理チャンバから分離して空気を返すためのガイド手段と、食品調理チャンバの上部分に位置付けられた熱放射手段と、を備える装置に関する。
【背景技術】
【０００２】
このような装置は、例えば特許文献１及び特許文献２において知られている。先行文献における既知の装置では、食品調理チャンバには、その底壁部を形成するスライド棚が設けられている。このスライド棚には、小さい穿孔のアレイが設けられており、高温空気を（空気ガイド手段として機能する）下部空気空間から食品調理チャンバへ入ることを可能とする。高温空気は、食品調理チャンバを高速空気流として通過する。後者の文献において、図７は、空気透過性の底壁部と平行かつ下部にある凸状の空気ガイド壁部によって形成される空間を示している。空気は、この空間内で旋回することが可能とされており、上方に向けられていない。
【先行技術文献】
【特許文献】
【０００３】
【特許文献１】米国特許第４３７４３１９号明細書
【特許文献２】欧州特許出願公開第２８４４２０号明細書
【発明の概要】
【発明が解決しようとする課題】
【０００４】
このタイプの装置は、食品を調理するための方法を提供しており、食品は、（空気流を用いて）下方からかつ（熱放射手段によって）上方から同時に加熱される。熱放射手段によって加熱される空気は、装置内を循環し、（炒めながら、調理しながら）食品を支度する。
【０００５】
本発明の目的は、上述したタイプの改良された装置を提供することである。
【課題を解決するための手段】
【０００６】
したがって、本発明において、空気ガイド部材は、食品調理チャンバ内にある食品にほぼ上向きに空気流を向けるように設けられている。
【０００７】
この態様において、「ほぼ上向き」の用語は、基本的に流動の放射成分がほぼ垂直上向きに曲げられて流動が食品を通ってほぼ上向きに発生することを表現しようとしている。このような上方へ向けられた流動は、（例えば、上述した最先端の装置の場合のように）多数の放射状に向けられた流動成分を有して空気が食品調理チャンバの底壁部に達する状況と比較して、改良された一定の空気流パターンをもたらす。その結果、食品は、均一に調理される。
【０００８】
好ましくは、空気ガイド部材は、食品調理チャンバの中心で最高速を有し放射状に外方に向けて減少する邪魔のない空気流パターンを提供する。
【０００９】
この明細書において、「邪魔のない(unobstructed)」とは、食品調理チャンバ内に食品がない状況を意味している。しかしながら、食品調理チャンバにわたる空気流の分布は、食品の影響を受ける。一般に、食品は、それが中心で最高である流動抵抗であって放射状に外方に向けて減少する流動抵抗をもたらすように配置される。速度分布及び抵抗分布の組み合わせは、食品調理チャンバにわたって所望の一定の流動パターンをもたらす（したがって、例えば「邪魔のない」空気流速は、食品調理チャンバ全体にわたってほぼ一定である）。
【００１０】
好ましくは、上記空気ガイド部材は、空気ガイドリブを備える。
【００１１】
例えば、上記空気ガイドリブは、垂直面に配置されており、放射方向で延在しかつ中心位置で交差する。このようなリブは、上向きの空気流を促進し、円形の（旋回する）空気流を防止し、かつ中心に向けて増大する圧力を形成する。
【００１２】
好ましくは、空気ガイド部材は、裁頭円錐形の上方へ先細りする空気ガイド部分を備える。このような空気ガイド部分は、上向きの空気流を非常に効果的に促進する。この部分は、上記空気ガイドリブと組み合わされてもよく、その下方に同心状に位置付けられてもよい。
【００１３】
前向きには、等しい長さの腕部を有する交差部として配置された３以上の空気ガイドリブを有することは、好ましい。そして、４つの空気ガイドリブがある場合、これらは、ほぼギリシャ十字状に配置されている。
【００１４】
そして、基本的には、リブは、直線状であるが、それは、個々の空気ガイドリブは、曲げ延長部を有し、曲げ延長部の曲げ部の方向は、好ましくはファンの回転方向によって決定され、空気は、中心に集中する。
【００１５】
他の実施形態において、空気ガイドリブと必要なら空気ガイド部分とは、装置の残りの部分から取外し可能な組立体を形成し、使用者は、検査、メンテナンス、清掃のためまたは（例えば調理される特定の食品など装置の特定の使用に応じて）それを入れ替えるために上記空気ガイドリブを取り外しできる。
【００１６】
本発明における他の好ましい実施形態において、食品調理チャンバの底壁部は、少なくとも部分的に開放的な構造を有しており、空気は、底壁部を通して容易に流動することができ、かつ食品のあらゆる側面に達して非常に効果的にそれを加熱できる。この態様では、穿孔が棚の全体の面積における非常に少数の部分しか規定しないため、最先端の棚が開放的な構造を有していないことを留意すべきである。なお、ここで、開放的な構造は、十分な部分の面積が空気流の通過のために開放していることを意味する。
【００１７】
このような開放的な構造は、例えば食品調理チャンバの底壁部が少なくとも部分的にグリッドまたはメッシュ構造によって形成されていると実現される。そして、開口部は、より大きな部分の面積を均一に形成する。
【００１８】
好ましくは、食品調理チャンバは、上方へ増大する断面積を有しながら、食品調理チャンバ内に食品の配置をもたらすような方式で構成されている。
【００１９】
その結果、最も大きな流動抵抗は、食品調理チャンバの中心で観測され、寸法は、上述のように、装置の動作に有利な効果を及ぼす。
【００２０】
好ましくは、食品調理チャンバの少なくとも底壁部は、波形をなす。これは、波形の谷部における食品の位置決めをもたらす一方、頂部は、空気の経路のために開放されており、配置が空気に対してあまり透過性がない密度の高い食品の場合に有利となる。
【００２１】
さらに、食品調理チャンバが円周壁部であって円周壁部及び食品調理チャンバの底壁部の間の接続部を越えて下方に向けて延在する下端部を有する円周壁部を有することは、好ましい。このような下端部は、（例えば内側に）曲げられてもよく、食品へ空気の流動を向けることに有用であり、空気ガイド手段へ空気が戻ることを防止する。
【００２２】
食品調理チャンバに取外し可能な底壁部が設けられていると、必要に応じて、底壁部は、他の底壁部または調理される食品のタイプにより適した同等の他のタイプの底壁部によって交換される。
【００２３】
本発明における装置のさらに他の好ましい形態において、食品調理チャンバは、内壁部及び外壁部であってこれらの間に排気開口部から底壁部に向けて空気を返すための空気ガイド手段を形成する内壁部及び外壁部を有する二重壁をなし、二重壁の食品調理チャンバは、外箱内に収容されている。
【００２４】
このような形態において、装置内を循環する加熱された空気は、低く安全な温度で維持されている外箱と接触しない。
【００２５】
排気開口部から底壁部に向けて空気を返すための空気ガイド手段は、多数の別個のチャネルを有してもよい。
【００２６】
非常にユーザフレンドリーな装置は、食品調理チャンバが上部分及び取外し可能な下部分を備えると、得られる。下部分は、一般に調理される食品を収容し、使用者は、下部分を取り外した後に、下部分を再び導入する前にそれを振って食品を攪拌する。これは、特定のレベルでそれぞれの所望に応じて食品調理処理を制御する可能性を使用者に与える。使用者は、食品調理チャンバ内に手を伸ばす必要がなくなり、その結果、循環する加熱された空気及び熱放射手段から安全に離れる。
【００２７】
例えば、食品調理チャンバの下部分は、把持部と、二重壁内にあるバスケット状部材と、を備えてもよい。把持部は、下部分の取り扱いを容易にする一方、バスケット状部材は、空気流に良好な流動パターンをもたらす。
【００２８】
このようなバスケット状部材は、反転した切頭円錐形状を有しており、好ましい流動特性と共に食品の相当する配置をもたらす。
【００２９】
安全対策のため、食品調理チャンバの上部分及び下部分が分離されると、加熱手段の動作を停止するかつ／または内壁部及び外壁部の間の空気流を停止するための手段が設けられた場合には、有利となる。その結果、使用者が例えば装置の動作を停止することなく下部分を取り外したときに、危険な状況が発生しない。
【００３０】
例えば、このような手段は、食品調理チャンバの取り外し可能な部分と協働するスイッチを備える。下部分が取り外されると、スイッチは、作動される。なお、このようなスイッチの他の位置は、同様に考えられる。
【００３１】
前向きには、装置を実現するための他の選択肢がある。例えば、バスケット状部材は、取り外し可能であってもよく、把持部は、取外し可能なバスケット状部材を接続及び非接続するための作動可能なラッチ手段を備える。
【００３２】
食品調理チャンバの上及び下部分間の良好な接続及び封止を得るため、食品調理チャンバの下部分から上部分に向けてプレロードするための手段が設けられてもよい。
【００３３】
このような手段は、下部分の下方に配置されたバネ手段を備えてもよい。
【００３４】
装置内における基本的に閉じたシステム内で食品を調理する間、圧力上昇が発生するため、食品調理チャンバには、圧力開放バルブまたは圧力及び蒸気を開放する開口部が設けられている。これら開口部には、煙と脂肪粒子の排出とを低減するフィルタが設けられてもよい。
【００３５】
上部分及び下部分の双方には、把持部が設けられてもよい。
【００３６】
例えば、上及び下部分が組み立てられると、把持部は、例えば互いに入れ子にされることによってまたは互いに近接して平行に配置されることによって、全体的に単一の一体の把持部を形成する。
【００３７】
排気開口部から前記底壁部に向けて空気を返すための前記空気ガイド手段には、垂直に延在する空気ガイドが設けられており、上記空気ガイド手段における円形の旋回する空気流は、防止される。
【００３８】
排気開口部から底壁部に向けて空気を返すための空気ガイド手段の開始部には、食品調理チャンバの上方において放射状に延在する空気ガイドが設けられていることが好ましい。また、これは、上記空気ガイド手段における適切な空気流を促進する。
【００３９】
好ましくは、このような場合において、上記放射状に延在する空気ガイドは、食品調理チャンバの頂部を規定する熱反射手段の一部である。
【００４０】
このような熱反射手段は、取外し可能であってもよい。
【００４１】
本発明は、第２に、本発明における装置に設けられた空気ガイド部材のすべての特徴がある空気ガイド部材に関する。
【００４２】
以下で、本発明は、図面を参照しながら説明されるだろう。
【図面の簡単な説明】
【００４３】
【図１】本発明における装置の一実施形態を示す垂直断面図である。
【図２】底部の２つの異なる構成を示す図である。
【図３】空気ガイドリブの２つの異なる構造を示す斜視図である。
【図４】本発明における装置の他の実施形態を示す垂直断面図である。
【図５】３つの異なる把持部の構造を示す図である。
【図６】熱反射器の一実施形態を示す斜視図である。
【図７】表面に作り付けられることになっている本発明における装置の一実施形態を示す垂直断面図である。
【図８】空気ガイドリブの代替の構造を示す図である。
【発明を実施するための形態】
【００４４】
図１を参照すると、装置は、プラスチック材料で形成された外箱１を備える。上記箱１内において、二重壁の食品調理チャンバ２は、内壁部３及び外壁部４によって囲まれて形成されている。その底部分において、内壁部３には、空気透過性を有する底セクション５が設けられている。その頂部において、内壁部には、空気のための排気開口部６が設けられている。
【００４５】
排気開口部６の上部には、ファン７が位置付けられており、ファン７は、（速度が制御可能な）電気モータ８によって駆動される。上記ファン７の一方側において引き起こされた低圧を用いて、空気は、食品調理チャンバ２から排気開口部６を通って吸い込まれ、内壁部３及び外壁部４の間に形成されたチャネル９内で高圧で送られる。このため、空気は、上記チャネル９を通って内壁部３の空気透過性の底セクション５に向けてかつ空気透過性の底セクション５を通って食品調理チャンバ２に再び達せられる。
【００４６】
図１は、内壁部３及び外壁部４の間のチャネルが食品調理チャンバ２を連続的に囲んで環状チャネルを形成することを示唆しているが、同様にファン７から底セクション５に向けて通じる多数の別個のチャネルがあることがありうることは、留意すべきである。
【００４７】
食品調理チャンバの上部分には、１つ（または多数）の熱放射手段１０が位置付けられており、熱放射手段１０は、食品調理チャンバ内へ熱を放射しかつ装置内を循環して当該熱放射手段１０を上方へ通過して流動する空気を加熱する。このため、食品調理チャンバ２内の食品は、熱放射手段１０から放射される熱によってと下方から食品を通過する加熱された空気によってとの２つの異なる方法によって同時に加熱される。
【００４８】
底セクション５の下方において外壁部４上に載置されているのは、空気ガイド部材１１である。この空気ガイド部材１１の配置及び／または形状は、到達する空気が底セクション５を通って上方へかつ一定の流動パターンを有して食品調理チャンバ２内に向けられるようになっている。これは、空気ガイド部材１１が食品調理チャンバ２内にある食品に沿ってほぼ上方へ向けられた空気流を引き起こすことを意味する。その結果、食品調理チャンバ２の横断面全体にわたって、加熱された空気及び食品の間の相互作用は、ほぼ均等となる。他の可能性は、外壁部４上に載置されている空気ガイド部材は、食品調理チャンバ２の中心位置で最高速度を有しかつ放射状に外方に向けて減少する（食品の存在がないことを意味する）邪魔のない空気流パターンを提供することである。そして、食品が存在すると、結果として生ずる空気流は、必要な一定のパターンを有する。
【００４９】
図１で図示されるように、食品調理チャンバの内壁部３の底セクション５は、例えばグリッドまたはメッシュ構造体によって形成される開放的な構造を少なくとも部分的に有する。
【００５０】
図１において底セクション５が内壁部３の最下部分に接続されるのに対して、図２は、２つの代替実施形態を示しており、２つの代替実施形態において、食品調理チャンバ２は、下端部３”を有する円形壁部３’であって下端部３”が当該円形壁部３’及び食品調理チャンバの底セクション５の間の接続部を越えて下方に延在する円形壁部３’を有する。図２Ａにおいて、上記下端部３”は、直線状をなし、図２Ｂにおいて、それは、内方に曲げられている。このような下端部３”は、チャネル９から出る下向きの空気流による上向きの空気流の攪乱を防止する。
【００５１】
再び図１を参照すると、食品調理チャンバ２が上部分２’及び取外し可能な下部分２”を有することが分かる。食品調理チャンバの下部分２”は、把持部１２を備えている。底セクション５は、二重壁内で（図２で示されている）バスケット状部材１３の一部分である。基本的には、このようなバスケット状部材は、（垂直にまたは傾斜して）上方へ延在する壁部（例えば図２における符号１３’）と、本実施形態において底セクション５によって規定される水平方向に延在する低壁部と、を備える。
【００５２】
食品調理チャンバの下部分２”は、箱１から取り外される。そして、使用者は、バスケット状部材１３内の食品を検査し、必要に応じて、バスケット状部材内の食料を攪拌するためにバスケット状部材を振り、または（後述する）制御パネルを用いて装置の操作のために異なるセッティングを選択する。
【００５３】
下部分２”が取り外されると熱放射手段を自動的に停止し及び／またはチャネル９を自動的に閉鎖するように設けられた手段（例えばバルブ部材）は、図示されていない。これにより、このような状況において装置から加熱された空気の不要な流出が防止される。食品の加熱に起因して食品調理チャンバ内の増大する圧力に対処するように設けられた圧力開放手段または濾過開口部は、同様に図示されていない。
【００５４】
図示のように、例えば図２から図４において、バスケット状部材１３の上方へ延在する壁部１３’は、バスケット状部材１３が反転した切頭円錐形状を有するような方法で分岐している。その結果、上方へ増大する横断面積を有するその内部における食品の配置により、一定の流動パターンを得ること及び均一な求められる食品の加工または調理がもたらされる。
【００５５】
最後に、箱１の頂部には、制御パネル１４が示されており、制御パネル１４は、装置の動作を（例えば温度、加熱時間、流速のような設定パラメータによって）を用いて制御する。
【００５６】
図３は、ガイド手段１１の２つの実施形態を示しており、ガイド手段１１は、空気ガイドリブ１５を備えている。図３Ａ及び図３Ｂ双方において、これら空気ガイドリブ１５は、合計４つであり、垂直面に配置され、放射状に延在して中心位置で接触する。ガイドリブは、ほぼギリシャ十字状に配置されている。このようなリブ１５は、上向きの空気流を促進し、円形の（旋回する）空気流を防止して中心位置に向けて圧力の増大を形成する。
【００５７】
図３Ｂにおいて、上記空気ガイドリブの下部または空気ガイドリブと結合して、これらと同心状に切頭円錐状をなして上方へ先細りする空気ガイド部分１１が配置されている。この空気ガイド部分１１の上方へ先細りする円周面１６は、チャネル９（図１参照）から上方へ食品調理チャンバ２内に達する空気の方向付けを促進する。
【００５８】
図８は、曲げられた延長部を有する空気ガイドリブ１５’からなる代替の実施形態を示す上面図を示しており、空気ガイドリブ１５’の曲げ方向は、好ましくはファンの回転方向によって決定されており、空気は、中心で合流する。
【００５９】
空気ガイドリブ１５または１５’と必要なら空気ガイド部分１１とは、装置の残りの部分から取外し可能な組立体を形成する。
【００６０】
図４は、図１と同様に、装置の代替の実施形態を示している。図１における実施形態に対して異なる点のみを、説明する。
【００６１】
排気開口部６から底壁部５に向けて空気を返すためのチャネル９には、垂直に延在する空気ガイド１７が設けられている。これら空気ガイド１７は、上記チャネル９における円形の旋回する空気流を防止するのに役立つ。
【００６２】
食品調理チャンバ２の上部分には、熱反射器１８が設けられており、熱反射器１８は、図６でより詳細に示されている。この熱反射器１８は、排気開口部６を形成する中心開口部１９を備えている。さらに、この熱反射器１８は、放射状に延在する空気ガイド２０を形成しており、熱反射器１８は、排気開口部６から底壁部５に向けて空気を返すためのチャネル９の開始部に位置付けられている。また、これら空気ガイド２０は、空気ガイド１７に加えて、チャネル９内における空気の円形の流動を防止する。上記熱反射器１８は、取り外し可能であってもよい。
【００６３】
最後に、図４には、食品調理チャンバの上部分２’に向けて下部分２”をプレロードするために設けられた手段２１が示されている。このような手段は、食品調理チャンバ２の下部分の下部に配置されたバネ手段２２を備えている。上述したような安全スイッチは、これら手段２１に取り付けられてもよい。
【００６４】
図５は、代替の把持部の実施形態を示している。図５Ａ及び図５Ｂは、第１把持部分２３を有する下部分２”と、第２把持部分２４を有するバスケット１３とを示している。組立位置（図５Ａ）において、把持部分２３及び２４は、入れ子にされて単一の一体した把持部を形成する。
【００６５】
図５Ｃ及び図５Ｄは、手動で操作可能なロック機構２６が設けられた把持部２５を有するバスケット１３と、バスケット１３が下部分２”に位置するときに把持部２５のロック機構２６と協働するロック部分２７を有する下部分２”とを示している。
【００６６】
図５Ｅは、把持部分２８を有するバスケット１３と、把持部分２９を有する下部分２”とを示している。図示された組立位置において、把持部分２８及び２９は、一方が他方の上方にある共通の垂直面に位置付けられている。下部分２”からバスケット１３を取り外すため、バスケットは、まず両把持部分２８及び２９が共通面に位置付けられないように回転されるべきである。
【００６７】
もちろん、他の把持部の実施形態は、例えば組立位置が互いに近接して平行して配置されるバスケットの把持部分及び下部分のように、考えることができる。
【００６８】
最後に、図７は、例えばテーブル面などの表面３０に作り付けられる装置の実施形態を示している。
【００６９】
本発明は、上述した実施形態に限定されず、添付の特許請求の範囲によって規定される本発明の範囲内で広く変化しうる。
【符号の説明】
【００７０】
１  外箱，箱、２  食品調理チャンバ、２’  上部分、２”  下部分、３  内壁部、３”  下端部、４  外壁部、５  底セクション，底壁部、６  排気開口部、７  ファン、９  チャネル、１０  熱放射手段、１１  空気ガイド部材，空気ガイド部分，ガイド手段、１２，２５  把持部、１３  バスケット状部材，バスケット、１５  空気ガイドリブ，リブ、１７，２０  空気ガイド、１８  熱反射器、２１  手段、２２  バネ手段、２３  第１把持部分、２４  第２把持部分、２８，２９  把持部分
【図１】
2014185849.tif 000003
【図２】
2014185849.tif 000004
【図３】
2014185849.tif 000005
【図４】
2014185849.tif 000006
【図５】
2014185849.tif 000007
【図６】
2014185849.tif 000008
【図７】
2014185849.tif 000009
【図８】
2014185849.tif 000010